【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
ディスプレイを有する情報処理装置であって、
第１表示画面の後方に第２表示画面を重ねて前記ディスプレイに表示させる表示手段と、
前記ディスプレイ上で指示された、前記ディスプレイの表示範囲内の第１位置情報を取得する第１取得手段と、
前記情報処理装置を構成する面のうちの前記ディスプレイの背面で指示され、かつ、前記ディスプレイの表示範囲内の位置情報に対応する第２位置情報を取得する第２取得手段と、
前記第１取得手段によって取得された前記第１位置情報に基づいて、前記第１表示画面に含まれるオブジェクトを前記第２表示画面にコピーさせる操作を受け付け、前記第２取得手段によって取得された前記第２位置情報に基づいて、前記第２表示画面に含まれるオブジェクトを前記第１表示画面にコピーさせる操作を受け付ける受付手段と、 
前記受付手段によって受け付けられた操作に応じた処理を実行する実行手段と、を備えることを特徴とする、
情報処理装置。
【請求項２】
前記受付手段は、前記第１取得手段によって取得された前記第１位置情報に基づいて、前記第１表示画面に含まれるオブジェクトを前記第２表示画面に移動させる操作を受け付け、前記第２取得手段によって取得された前記第２位置情報に基づいて、前記第２表示画面に含まれるオブジェクトを、前記第１表示画面に移動させる操作を受け付けることを特徴とする、
請求項１記載の情報処理装置。
【請求項３】
前記第１表示画面と前記第２表示画面とは同じ大きさであり、互いに対応する座標位置を有することを特徴とする、
請求項１又は２に記載の情報処理装置。
【請求項４】
前記表示手段は、前記第１表示画面を透過した状態で前記ディスプレイに表示させることを特徴とする、
請求項１〜３のいずれか１項に記載の情報処理装置。
【請求項５】
前記表示手段は、前記第１表示画面としてアプリケーションについての画面を表示させ、前記第２表示画面としてクリップボードの内容を表示させることを特徴とする、
請求項１〜４のいずれか１項に記載の情報処理装置。
【請求項６】
前記受付手段は、前記第１取得手段で取得した前記第１位置情報に応じて、前記第１表示画面に含まれるオブジェクトからコピーの対象となるオブジェクトを選択し、前記第２表示画面へコピーする操作を受け付けることを特徴とする、
請求項１〜５のいずれか１項に記載の情報処理装置。
【請求項７】
前記受付手段は、前記第２取得手段で取得した前記第２位置情報に応じて、前記第２表示画面に含まれるオブジェクトからペースト操作の対象となるオブジェクトを選択する操作を受け付けることを特徴とする、
請求項６に記載の情報処理装置。
【請求項８】
前記受付手段は、前記第１取得手段で取得した第１位置情報に応じて、前記ペースト操作の対象となる前記オブジェクトをペーストする前記第１表示画面内の位置を決定することを特徴とする、
請求項７に記載の情報処理装置。
【請求項９】
前記受付手段は、前記第２取得手段で取得した第２位置情報に応じて、前記第２表示画面内で、前記ペースト操作の対象である前記オブジェクトを移動させる操作を受け付け、該ペースト操作の対象である該オブジェクトを移動された位置に対応する前記第１表示画面内の位置を、ペースト位置として決定することを特徴とする、
請求項８に記載の情報処理装置。
【請求項１０】
前記第１取得手段は、前記ディスプレイに重畳するように設けられたタッチセンシングパネルであり、
前記第２取得手段は、前記ディスプレイの前記背面に設けられたタッチセンシングパネルであることを特徴とする、
請求項１〜９のいずれか１項に記載の情報処理装置。
【請求項１１】
ディスプレイを有する情報処理装置により実行される方法であって、
第１表示画面の後方に第２表示画面を重ねて前記ディスプレイに表示させる工程と、
前記ディスプレイ上で指示された、前記ディスプレイの表示範囲内の第１位置情報を取得する工程と、
前記情報処理装置を構成する面のうちの前記ディスプレイの背面で指示され、かつ、前記ディスプレイの表示範囲内の位置情報に対応する第２位置情報を取得する工程と、
取得した前記第１位置情報に基づいて、前記第１表示画面に含まれるオブジェクトを前記第２表示画面にコピーさせる操作を受け付け、取得した前記第２位置情報に基づいて、前記第２表示画面に含まれるオブジェクトを前記第１表示画面にコピーさせる操作を受け付ける工程と、 
受け付けた前記操作に応じた処理を実行する工程と、を含むことを特徴とする、
情報処理方法。
【請求項１２】
ディスプレイを有するコンピュータに読み込ませ実行させることで、前記コンピュータを、
第１表示画面の後方に第２表示画面を重ねて前記ディスプレイに表示させる表示手段、
前記ディスプレイ上で指示された、前記ディスプレイの表示範囲内の第１位置情報を取得する第１取得手段、
前記コンピュータを構成する面のうちの前記ディスプレイの背面で指示され、かつ、前記ディスプレイの表示範囲内の位置情報に対応する第２位置情報を取得する第２取得手段、
前記第１取得手段によって取得された前記第１位置情報に基づいて、前記第１表示画面に含まれるオブジェクトを前記第２表示画面にコピーさせる操作を受け付け、前記第２取得手段によって取得された前記第２位置情報に基づいて、前記第２表示画面に含まれるオブジェクトを前記第１表示画面にコピーさせる操作を受け付ける受付手段、 
前記受付手段によって受け付けられた操作に応じた処理を実行する実行手段、
として機能させるためのコンピュータプログラム。
【請求項１３】
ディスプレイを有する情報処理装置であって、
第１表示画面の後方に第２表示画面を重ねて前記ディスプレイに表示させる表示手段と、
前記ディスプレイ上で指示された、前記ディスプレイの表示範囲内の第１位置情報を取得する第１取得手段と、
前記情報処理装置を構成する面のうちの前記ディスプレイの背面で指示され、かつ、前記ディスプレイの表示範囲内の位置情報に対応する第２位置情報を取得する第２取得手段と、
前記第１取得手段によって取得された前記第１位置情報に基づいて、前記第１表示画面に含まれるオブジェクトに対する操作を受け付け、前記第２取得手段によって取得された前記第２位置情報に基づいて、前記第２表示画面に含まれるオブジェクトに対する操作を受け付ける受付手段と、 
前記受付手段によって受け付けられた操作に応じた処理を実行する実行手段と、を備えることを特徴とする、
情報処理装置。
【請求項１４】
ディスプレイを有する情報処理装置により実行される方法であって、
第１表示画面の後方に第２表示画面を重ねて前記ディスプレイに表示させる工程と、
前記ディスプレイ上で指示された、前記ディスプレイの表示範囲内の第１位置情報を取得する工程と、
前記情報処理装置を構成する面のうちの前記ディスプレイの背面で指示され、かつ、前記ディスプレイの表示範囲内の位置情報に対応する第２位置情報を取得する工程と、
取得した前記第１位置情報に基づいて、前記第１表示画面に含まれるオブジェクトに対する操作を受け付け、取得した前記第２位置情報に基づいて、前記第２表示画面に含まれるオブジェクトに対する操作を受け付ける工程と、 
受け付けた前記操作に応じた処理を実行する工程と、を含むことを特徴とする、
情報処理方法。
【請求項１５】
ディスプレイを有するコンピュータに読み込ませ実行させることで、前記コンピュータを、
第１表示画面の後方に第２表示画面を重ねて前記ディスプレイに表示させる表示手段、
前記ディスプレイ上で指示された、前記ディスプレイの表示範囲内の第１位置情報を取得する第１取得手段、
前記コンピュータを構成する面のうちの前記ディスプレイの背面で指示され、かつ、前記ディスプレイの表示範囲内の位置情報に対応する第２位置情報を取得する第２取得手段、
前記第１取得手段によって取得された前記第１位置情報に基づいて、前記第１表示画面に含まれるオブジェクトに対する操作を受け付け、前記第２取得手段によって取得された前記第２位置情報に基づいて、前記第２表示画面に含まれるオブジェクトに対する操作を受け付ける受付手段、
前記受付手段によって受け付けられた操作に応じた処理を実行する実行手段、
として機能させるためのコンピュータプログラム。
【手続補正２】
【補正対象書類名】明細書
【補正対象項目名】０００８
【補正方法】変更
【補正の内容】
【０００８】
上記課題を解決する本発明の情報処理装置は、ディスプレイを有する情報処理装置であって、第１表示画面の後方に第２表示画面を重ねて前記ディスプレイに表示させる表示手段と、前記ディスプレイ上で指示された、前記ディスプレイの表示範囲内の第１位置情報を取得する第１取得手段と、前記情報処理装置を構成する面のうちの前記ディスプレイの背面で指示され、かつ、前記ディスプレイの表示範囲内の位置情報に対応する第２位置情報を取得する第２取得手段と、前記第１取得手段によって取得された前記第１位置情報に基づいて、前記第１表示画面に含まれるオブジェクトを前記第２表示画面にコピーさせる操作を受け付け、前記第２取得手段によって取得された前記第２位置情報に基づいて、前記第２表示画面に含まれるオブジェクトを前記第１表示画面にコピーさせる操作を受け付ける受付手段と、 前記受付手段によって受け付けられた操作に応じた処理を実行する実行手段と、を備えることを特徴とする。